【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
第１のスクリーンに表示されるコンテンツに関して第２のスクリーンでソーシャルメッセージのグラフィカル表現を提供する方法であって、
前記第１のスクリーンに表示されるコンテンツに関連する１以上のソーシャルメッセージのためのソーシャルメディアをモニタするステップと、
メッセージを前記第１のスクリーンに表示されるコンテンツの時間セグメントと関連付けるよう、前記第１のスクリーンに表示されるコンテンツに関連する前記１以上のソーシャルメッセージを処理するステップと、
前記第１のスクリーンに表示されるコンテンツの１以上の時間セグメントに関連付けられる前記１以上のソーシャルメッセージのグラフィカル表現を前記第２のスクリーンで提供するステップと
を有する方法。
【請求項２】
モニタされる前記ソーシャルメディアは、Ｔｗｉｔｔｅｒ（登録商標）である、
請求項１に記載の方法。
【請求項３】
前記グラフィカル表現は、一連のビンを有し、夫々のビンは、前記第１のスクリーンに表示されるコンテンツの時間セグメントと関連付けられ、前記１以上のソーシャルメッセージは、前記ビンと関連付けられる、
請求項１に記載の方法。
【請求項４】
ビンの選択は、前記関連付けられる１以上のソーシャルメッセージが表示されることを引き起こす、
請求項３に記載の方法。
【請求項５】
前記１以上のソーシャルメッセージを処理するステップは、
時間スタンプが前記１以上のソーシャルメッセージと関連付けられるかどうかを決定するステップと、
前記１以上のソーシャルメッセージを前記第１のスクリーンに表示されるコンテンツの時間セグメントと関連付けるステップと
を有する、請求項１に記載の方法。
【請求項６】
前記時間スタンプは、前記１以上のソーシャルメッセージの部分として与えられるハッシュタグである、
請求項５に記載の方法。
【請求項７】
前記グラフィカル表現は、前記第１のスクリーンに表示されるコンテンツの時間セグメントと関連付けられるメッセージの数を示す、
請求項１に記載の方法。
【請求項８】
前記モニタするステップは、遠隔で実行される、
請求項１に記載の方法。
【請求項９】
前記グラフィカル表現は、前記第１のスクリーンに表示されるコンテンツを制御する能力を提供する、
請求項１に記載の方法。
【請求項１０】
コンテンツを表示するよう構成されるスクリーンと、
データを記憶するストレージと、
第１のスクリーンに表示されるコンテンツに関連する１以上のソーシャルメッセージのためのソーシャルメディアをモニタし、メッセージを前記第１のスクリーンに表示されるコンテンツの時間セグメントと関連付けるように前記第１のスクリーンに表示されるコンテンツに関連する前記１以上のソーシャルメッセージを処理し、第２スクリーン装置の前記スクリーンでの表示のために、前記第１のスクリーンに表示されるコンテンツの１以上の時間セグメントに関連付けられる前記１以上のソーシャルメッセージのグラフィカル表現を提供するよう構成されるプロセッサと
を有する第２スクリーン装置。
【請求項１１】
無線通信のための無線ネットワークインターフェース
を更に有する請求項１０に記載の第２スクリーン装置。
【請求項１２】
前記プロセッサは更に、ソーシャルメディアへのアクセスを提供するよう構成される、
請求項１０に記載の第２スクリーン装置。
【請求項１３】
タッチスクリーン装置である請求項１０に記載の第２スクリーン装置。
【請求項１４】
前記グラフィカル表現は、一連のビンを有し、夫々のビンは、前記第１のスクリーンに表示されるコンテンツの時間セグメントと関連付けられ、前記１以上のソーシャルメッセージは、前記ビンと関連付けられる、
請求項１０に記載の第２スクリーン装置。
【請求項１５】
プロセッサによって実行される場合に、該プロセッサに、
第１のスクリーンに表示されるコンテンツに関連する１以上のソーシャルメッセージのためのソーシャルメディアをモニタするステップと、
メッセージを前記第１のスクリーンに表示されるコンテンツの時間セグメントと関連付けるよう、前記第１のスクリーンに表示されるコンテンツに関連する前記１以上のソーシャルメッセージを処理するステップと、
前記第１のスクリーンに表示されるコンテンツの１以上の時間セグメントに関連付けられる前記１以上のソーシャルメッセージのグラフィカル表現を第２のスクリーンで提供するステップと
を実行させるコンピュータプログラム。
【手続補正２】
【補正対象書類名】明細書
【補正対象項目名】００１９
【補正方法】変更
【補正の内容】
【００１９】
そもそも入力部から又は記憶装置２１２から発せられた、ビデオ処理部２１０からの被変換ビデオ信号は、ディスプレイインターフェース２１８へ供給される。ディスプレイインターフェース２１８は更に、上記のタイプのディスプレイ装置へディスプレイ信号を供給する。ディスプレイインターフェース２１８は、赤−緑−青（ＲＧＢ）のようなアナログ信号インターフェースであってよく、あるいは、ＨＤＭＩのようなデジタルインターフェースであってよい。当然ながら、ディスプレイインターフェース２１８は、以下でより詳細に記載されるように、３次元グリッドにおいて検索結果を提示する様々なスクリーンを生成する。
【手続補正３】
【補正対象書類名】明細書
【補正対象項目名】０１２４
【補正方法】変更
【補正の内容】
【０１２４】
加えて、上記の記載は、単なる一例として意図され、特許請求の範囲での記述を除いて、決して本発明を制限するよう意図されない。  
上記の実施形態に加えて、以下の付記を開示する。
（付記１）
第１のスクリーンに表示されるコンテンツに関して第２のスクリーンでソーシャルメッセージのグラフィカル表現を提供する方法であって、
前記第１のスクリーンに表示されるコンテンツに関連する１以上のソーシャルメッセージのためのソーシャルメディアをモニタするステップと、
メッセージを前記第１のスクリーンに表示されるコンテンツの時間セグメントと関連付けるよう、前記第１のスクリーンに表示されるコンテンツに関連する前記１以上のソーシャルメッセージを処理するステップと、
前記第１のスクリーンに表示されるコンテンツの１以上の時間セグメントに関連付けられる前記１以上のソーシャルメッセージのグラフィカル表現を前記第２のスクリーンで提供するステップと
を有する方法。
（付記２）
モニタされる前記ソーシャルメディアは、Ｔｗｉｔｔｅｒ（登録商標）である、
付記１に記載の方法。
（付記３）
前記グラフィカル表現は、一連のビンを有し、夫々のビンは、前記第１のスクリーンに表示されるコンテンツの時間セグメントと関連付けられ、前記１以上のソーシャルメッセージは、前記ビンと関連付けられる、
付記１に記載の方法。
（付記４）
ビンの選択は、前記関連付けられる１以上のソーシャルメッセージが表示されることを引き起こす、
付記３に記載の方法。
（付記５）
前記１以上のソーシャルメッセージを処理するステップは、
時間スタンプが前記１以上のソーシャルメッセージと関連付けられるかどうかを決定するステップと、
前記１以上のソーシャルメッセージを前記第１のスクリーンに表示されるコンテンツの時間セグメントと関連付けるステップと
を有する、付記１に記載の方法。
（付記６）
前記時間スタンプは、前記１以上のソーシャルメッセージの部分として与えられるハッシュタグである、
付記５に記載の方法。
（付記７）
前記グラフィカル表現は、前記第１のスクリーンに表示されるコンテンツの時間セグメントと関連付けられるメッセージの数を示す、
付記１に記載の方法。
（付記８）
前記モニタするステップは、遠隔で実行される、
付記１に記載の方法。
（付記９）
前記グラフィカル表現は、前記第１のスクリーンに表示されるコンテンツを制御する能力を提供する、
付記１に記載の方法。
（付記１０）
コンテンツを表示するよう構成されるスクリーンと、
データを記憶するストレージと、
第１のスクリーンに表示されるコンテンツに関連する１以上のソーシャルメッセージのためのソーシャルメディアをモニタし、メッセージを前記第１のスクリーンに表示されるコンテンツの時間セグメントと関連付けるように前記第１のスクリーンに表示されるコンテンツに関連する前記１以上のソーシャルメッセージを処理し、第２スクリーン装置の前記スクリーンでの表示のために、前記第１のスクリーンに表示されるコンテンツの１以上の時間セグメントに関連付けられる前記１以上のソーシャルメッセージのグラフィカル表現を提供するよう構成されるプロセッサと
を有する第２スクリーン装置。
（付記１１）
無線通信のための無線ネットワークインターフェース
を更に有する付記１０に記載の第２スクリーン装置。
（付記１２）
前記プロセッサは更に、ソーシャルメディアへのアクセスを提供するよう構成される、
付記１０に記載の第２スクリーン装置。
（付記１３）
タッチスクリーン装置である付記１０に記載の第２スクリーン装置。
（付記１４）
前記グラフィカル表現は、一連のビンを有し、夫々のビンは、前記第１のスクリーンに表示されるコンテンツの時間セグメントと関連付けられ、前記１以上のソーシャルメッセージは、前記ビンと関連付けられる、
付記１０に記載の第２スクリーン装置。
（付記１５）
実行される場合に、
第１のスクリーンに表示されるコンテンツに関連する１以上のソーシャルメッセージのためのソーシャルメディアをモニタするステップと、
メッセージを前記第１のスクリーンに表示されるコンテンツの時間セグメントと関連付けるよう、前記第１のスクリーンに表示されるコンテンツに関連する前記１以上のソーシャルメッセージを処理するステップと、
前記第１のスクリーンに表示されるコンテンツの１以上の時間セグメントに関連付けられる前記１以上のソーシャルメッセージのグラフィカル表現を第２のスクリーンで提供するステップと
を実行する命令を有する機械可読媒体。